(57)【要約】【課題】被連結体の連結状態が不用意に解除されることがなく、被連結体の両端を留める操作及び解除する操作が簡単且つ容易に行えるバックルの提供を目的とする。【解決手段】バックル１を構成する差込み部材４の差込み片４ａをバックルカバー３の差込み部３ｂに挿入し、差込み片４ａの錠止突起４ｄを保持部材６の錠止孔６ａから係止部材７，７の係止部７ｂ，７ｂ間に挿入する。差込み片４ａの錠止突起４ｄに係止部材７，７の係止部７ｂ，７ｂを係合して、バックル本体２と差込み部材４を一体的に連結固定する。また、係止部材７，７を同時に押し込み操作し、係止部材７，７の係止部７ｂ，７ｂ間を離間して、差込み部材４の錠止突起４ｄを保持部材６の錠止孔６ａと係止部材７，７の係止部７ｂ，７ｂ間から抜き取る。差込み部材４の差込み片４ａをバックルカバー３の差込み部３ｂから抜き取り、バックル本体２と差込み部材４を分離する。【選択図】図６
2010136964.tif 000002
【特許請求の範囲】
【請求項１】
被連結体の一端が取り付けられるバックル本体と、該バックル本体の前面に取り付けられるバックルカバーと、該被連結体の他端が取り付けられる差込み部材とを備え、
前記バックル本体の前面側に、該バックル本体の長手方向と直交する方向に開口されたコ字状の保持部材を固定し、
前記バックルカバーの後面側に、前記差込み部材と対向する側が開口された凹状の差込み部を形成し、
前記差込み部と対向する前記保持部材の前面側に、前記差込み片の差込み方向と直交する厚み方向に錠止孔を形成し、
前記差込み部と対向する前記差込み部材の差込み側端部に、前記差込み部に差込まれる差込み片を形成し、
前記差込み片の差込み側端部に、該差込み片の差込み方向と直交して前記錠止孔に挿入される錠止突起を突設し、
前記バックル本体と前記保持部材との対向面間に、前記錠止孔を中心として前記錠止突起に係止される一対の係止部材を対称に配置し、
前記一対の係止部材を、前記差込み片の差込み方向と直交する方向に摺動自在に設けるとともに、前記錠止孔に挿入された前記錠止突起の挿入側端部に対し係止される方向に付勢した
バックル。
【請求項２】
前記差込み部の前記差込み片の差込み側端部と対向する閉塞側内壁部に、該錠差込み片の差込み側端部が当接されるガイド部を設け、
前記ガイド部の前記差込み片が当接される部分を、前記錠止突起が前記錠止孔に対し挿入される方向に向けて前記差込み片がガイドされる形状に形成した
請求項１に記載のバックル。
【請求項３】
前記バックル本体の前記錠止孔と対向する部分に、前記錠止突起が押し当てられた際に蓄積される復元力でもって、該錠止突起を前記錠止孔から抜き取られる方向に押し戻すための付勢手段を設けた
請求項１又は２に記載のバックル。
【請求項４】
前記バックルカバーの前記錠止孔と対向する部分に、前記差込み片の差込み側端部に対し該差込み片の差込み方向と直交して当接される押し込み部材を設け、
前記押し込み部材を、前記錠止突起が前記錠止孔に対し挿入される方向に向けて移動自在に設けた
請求項１〜３のいずれか一つに記載のバックル。
【請求項５】
前記バックルカバーの対向する壁部に、前記係止部材の外端に形成した操作部が露出されるとともに、前記錠止突起に係止される方向へ前記係止部材の押し込み操作が許容される開口部を形成した
請求項１〜４のいずれか一つに記載のバックル。
【発明の詳細な説明】
【技術分野】
【０００１】
この発明は、例えば衣服、ランドセル、リュック、鞄などを装着する際に用いられるバンド、ベルト等の帯状或いは紐状の被連結体を留めるために用いられるバックルに関する。
【背景技術】
【０００２】
従来、前記被連結体の両端を留める際に用いられるバックルとしては、例えばバンド連結片、中間片、カバー片をその順で３つに折り畳むとともに、バンド連結片に設けられた係止突起を、中間片に設けられた挿入孔に挿通し、カバー片に設けられた一対のサイドプッシュ部材によって係止突起を抜止めした後、サイドプッシュ部材をロック装置によってロックする。これにより、バンド連結片、中間片、カバー片を３つに折り畳んで連結固定する特許文献１のバックルがある。
【０００３】
しかし、バンドの長手方向に引張り力が付与されても、挿入孔に対する係止突起の挿入位置が変位することがなく、挿入孔の中心に挿入された位置に規制されるため、挿入孔の周縁部に対して係止突起が直接係止されることがない。つまり、バンド装着時において、バックル部分に何等かの衝撃が付与され、一対のサイドプッシュ部材による係止及びロック装置によるロックが解除された際に、バンド連結片と、中間片と、カバー片とが連結ピンを中心として展開方向へ回動されると、一対のサイドプッシュ部材の間及び挿入孔から係止突起が簡単に抜き取られてしまうので、バンドの装着状態を維持することができない。また、バンドの長手方向に付与される引張り力に弱く、大きな引張り力が付与される部分には適用することができない。
【特許文献１】特開２００６−２７１８４５号公報
【発明の開示】
【発明が解決しようとする課題】
【０００４】
この発明は前記問題に鑑み、被連結体の連結状態が不用意に解除されることがなく、高い信頼性が得られる。また、被連結体の両端を留める操作及び解除する操作が簡単且つ容易に行えるバックルの提供を目的とする。
【課題を解決するための手段】
【０００５】
この発明は、被連結体の一端が取り付けられるバックル本体と、該バックル本体の前面に取り付けられるバックルカバーと、該被連結体の他端が取り付けられる差込み部材とを備え、前記バックル本体の前面側に、該バックル本体の長手方向と直交する方向に開口されたコ字状の保持部材を固定し、前記バックルカバーの後面側に、前記差込み部材と対向する側が開口された凹状の差込み部を形成し、前記差込み部と対向する前記保持部材の前面側に、前記差込み片の差込み方向と直交する厚み方向に錠止孔を形成し、前記差込み部と対向する前記差込み部材の差込み側端部に、前記差込み部に差込まれる差込み片を形成し、前記差込み片の差込み側端部に、該差込み片の差込み方向と直交して前記錠止孔に挿入される錠止突起を突設し、前記バックル本体と前記保持部材との対向面間に、前記錠止孔を中心として前記錠止突起に係止される一対の係止部材を対称に配置し、前記一対の係止部材を、前記差込み片の差込み方向と直交する方向に摺動自在に設けるとともに、前記錠止孔に挿入された前記錠止突起の挿入側端部に対し係止される方向に付勢したバックルであることを特徴とする。
【０００６】
この発明の態様として、前記差込み部の前記差込み片の差込み側端部と対向する閉塞側内壁部に、該錠差込み片の差込み側端部が当接されるガイド部を設け、前記ガイド部の前記差込み片が当接される部分を、前記錠止突起が前記錠止孔に対し挿入される方向に向けて前記差込み片がガイドされる形状に形成することができる。
【０００７】
また、この発明の態様として、前記バックル本体の前記錠止孔と対向する部分に、前記錠止突起が押し当てられた際に蓄積される復元力でもって、該錠止突起を前記錠止孔から抜き取られる方向に押し戻すための付勢手段を設けることができる。
【０００８】
また、この発明の態様として、前記バックルカバーの前記錠止孔と対向する部分に、前記差込み片の差込み側端部に対し該差込み片の差込み方向と直交して当接される押し込み部材を設け、前記押し込み部材を、前記錠止突起が前記錠止孔に対し挿入される方向に向けて移動自在に設けることができる。
【０００９】
また、この発明の態様として、前記バックルカバーの対向する壁部に、前記係止部材の外端に形成した操作部が露出されるとともに、前記錠止突起に係止される方向へ前記係止部材の押し込み操作が許容される開口部を形成することができる。
【００１０】
前記被連結体は、例えば衣服、ランドセル、リュック、鞄などを装着する際に用いられるバンド、ベルト等の帯状部材或いは紐状部材で構成することができる。  
また、付勢手段は、例えば板バネ、スプリング、或いは、合成ゴム等の弾性体で構成することができる。  
また、押し込み部材は、例えば押し込みボタン、押し込みピン、プッシャー等で構成することができる。
【発明の効果】
【００１１】
この発明によれば、一対の係止部材を同時に操作しない限り、各係止部材の係止部間から差込み片の錠止突起が抜き取られることはない。これにより、被連結体の連結状態が不用意に解除されることがなく、バックルとして高い信頼性が得られる。また、被連結体の両端を留める操作及び解除する操作が容易に行える。
【実施例】
【００１２】
図１は本発明の一実施形態であるバックル１の組付け状態を示す斜視図、図２はバックル１に内蔵された第１例の錠止装置５の透視状態を示す正面図、図３は図２のバックル１を左側から見た状態を示す左側面図、図４は図２のバックル１を長手方向と平行する水平面で切断した構造を示す横断平面図、図５は錠止装置５の分離状態を示す展開斜視図、図６は錠止装置５による錠止状態を示す錠止部正面図、図７は錠止装置５による錠止解除状態を示す錠止部正面図である。
【００１３】
前記バックル１は、被連結体の一例であるベルトＡの一端が取り付けられるバックル本体２と、バックル本体２の前面に取り付けられるバックルカバー３と、ベルトＡの他端が取り付けられる板状の差込み部材４と、バックル本体２とバックルカバー３との対向面間に設けられた錠止装置５とを備えている。
【００１４】
前記錠止装置５は、バックル本体２の前面側中央部に固定された上方から見てコ字状の保持部材６と、バックル本体２と保持部材６との対向面間に対し前記差込み部材４の差込み方向と直交する方向に摺動自在に保持された一対の係止部材７，７と、係止部材７，７を互いに離間される方向に付勢する一対のコイルスプリング８，８と、バックル本体２と一方の係止部材７との間に挿入されたスペーサ９と、差込み部材４の差込み側端部に形成された差込み片４ａとを備えている。
【００１５】
前記バックル本体２は、正面から見て横長形状に形成され、ベルトＡの横幅より幅広に形成されている。また、バックル本体２の対向する縁部２ｇ，２ｇの中央部には、後述するバックルカバー３の開口部３ａ，３ａと対応して一対の切欠き部２ａ，２ａが形成されている。
【００１６】
切欠き部２ａ，２ａは、後述する係止部材７の操作部７ａの押し込み操作が許容される大きさに形成されている。また、切欠き部２ａを基準とする両側の縁部２ｇには、後述するバックルカバー３の壁部３ｇ，３ｇに係止される係止片２ｂ…が形成されている。
【００１７】
正面から見てバックル本体２の右側端部には、バックル本体２の長手方向と直交する幅方向に向けて取付け孔２ｃが形成されている。その取付け孔２ｃには、ベルトＡの一端を挿入して裏側へ折り返すとともに、該ベルトＡの一端を裏側に縫着するか、ホックなどの止め具で固定する等して取り付けられる。
【００１８】
バックル本体２の前面側中央部には、後述する保持部材６の突起６ｂ…が圧入固定される孔部２ｄ…が形成されている。また、バックル本体２の左側端部の中央部には、後述する差込み部材４の差込み片４ａが嵌合される切欠き部２ｅが形成されている。
【００１９】
前記バックルカバー３は、前記バックル本体２と対応して正面から見て横長形状に形成され、該バックル本体２の前面と合致する横幅で、該バックル本体２の右側端部が突出される長さに形成されている。また、バックルカバー３の対向する壁部３ｇ，３ｇの中央部には、前記バックル本体２の切欠き部２ａ，２ａと対応して一対の開口部３ａ，３ａが形成されている。
【００２０】
開口部３ａ，３ａは、後述する係止部材７の操作部７ａの押し込み操作が許容される大きさ及び形状に開口されている。また、開口部３ａ，３ａを基準とする両側の壁部３ｇは、前記バックル本体２の縁部２ｇ及び係止片２ｂ…に対し係止される形状に形成されている。
【００２１】
バックルカバー３の後面側中央部には、後述する保持部材６の前面側中央部と対向して、後述する差込み部材４の差込み片４ａの挿入が許容される凹状の差込み部３ｂが長手方向に形成されている。
【００２２】
差込み部３ｂは、差込み片４ａの挿入が許容される幅及び長さに形成されている。また、差込み部材４と対向する差込み部３ｂの左側端部は、差込み片４ａの挿入が許容される大きさ及び形状に開口されている。また、差込み部３ｂの右側端部は、差込み片４ａの差込み側端部の突出が阻止されるように閉塞されている。
【００２３】
つまり、バックルカバー３の差込み部３ｂに、後述する差込み部材４の差込み片４ａを長手方向に挿入した際、バックル本体２の左側端部に差込み部材４の右側端部が当接される。これにより、後述する差込み片４ａの錠止突起４ｄが保持部材６の錠止孔６ａと対向する同心位置に規制される。
【００２４】
なお、バックルカバー３の外面側中央部には、例えば商品名、個人名等の文字が記載された図示しないネームプレートが長手方向に装着されている。また、ネームプレートの代わりに、前記文字や絵等の意匠をバックルカバー３の外面側中央部に明記してもよい。
【００２５】
前記差込み部材４は、前記バックル本体２の横幅と同一の幅に形成され、ベルトＡの横幅より幅広に形成されている。また、差込み部材４の右側端部中央部には、前記バックルカバー３の差込み部３ｂに対し差込まれる差込み片４ａが長手方向に形成されている。
【００２６】
差込み片４ａは、前記バックルカバー３の差込み部３ｂに対して挿入が許容される幅及び厚みに形成され、該差込み部３ｂに挿入した際、後述する保持部材６の錠止孔６ａと対向する位置まで挿入される長さに形成されている。また、差込み片４ａの差込み側端部には、後述する保持部材６の錠止孔６ａに挿入される錠止突起４ｄが突設されている。
【００２７】
錠止突起４ｄは、後述する保持部材６の錠止孔６ａに対し挿入される方向に突設された軸部４ｅと、該係止部材７の係止部７ｂに形成された窪み部７ｃの周縁部に係止される頭部４ｆとで構成されている。また、頭部４ｆは、軸部４ｅの先端に形成され、側面から見て滑らかな半楕円形状に形成されている。なお、頭部４ｆを、例えば半球形状、球形状、楕円形状等の所望する形状に形成してもよい。
【００２８】
正面から見て差込み部材４の左側端部には、差込み部材４の長手方向と直交する幅方向に向けて取付け孔４ｃが形成されている。その取付け孔４ｃには、ベルトＡの他端を挿入して裏側へ折り返すとともに、該ベルトＡの他端を裏側に縫着するか、ホックなどの止め具で固定する等して取り付けられる。
【００２９】
前記保持部材６は、バックル本体２の長手方向と直交する方向に開口された上方から見てコ字状に形成され、前記バックル本体２の横幅より幅狭で、該バックル本体２の縁部２ｇ，２ｇの間に収められる大きさ及び形状に形成されている。また、保持部材６の前面側中央部には、前記差込み片４ａの錠止突起４ｄが挿通される錠止孔６ａが厚み方向に貫通して形成されている。
【００３０】
保持部材６の対向する壁部６ｂ，６ｂは、該保持部材６の左右両端を前記バックル本体２の前面側中央部と対向する方向へ略直角に折り曲げて形成されている。また、壁部６ｂ，６ｂの端面には、前記バックル本体２の孔部２ｄ…と対向して該孔部２ｄ…に圧入固定される突起６ｃ…が形成されている。
【００３１】
保持部材６の後面側中央部と、該保持部材６が固定されるバックル本体２の前面側中央部との間には、一対の係止部材７，７とスペーサ９とが前面から順に厚み方向に重ね合せて保持されている。また、一対の係止部材７，７は、錠止孔６ａを中心として上下対称に配置されており、一方の係止部材７が手前側に来るように配置されている。また、他方の係止部材７の後側には、後述するスペーサ９が配置されている。
【００３２】
保持部材６の壁部６ｂ，６ｂより内側には、前記差込み片４ａの差込み方向と直交する方向と平行して半円形状の受け部６ｄ，６ｄが形成されている。また、受け部６ｄの内側受け面は、後述するコイルスプリング８の外面と対応する曲面形状に形成されている。つまり、保持部材６の受け部６ｄによってコイルスプリング８がそれぞれ保持され、係止部材７の押し込み時において、コイルスプリング８の蛇行が抑止される。
【００３３】
前記スペーサ９は、前記錠止突起４ｄの頭部４ｆより肉厚が厚く、前記保持部材６の対向する壁部６ｂ，６ｂの間に保持される大きさ及び形状に形成されている。また、スペーサ９の前面側中央部には、前記保持部材６の錠止孔６ａと対向して、前記差込み片４ａの錠止突起４ｄが挿通される受け孔９ａが厚み方向に貫通して形成されている。また、受け孔９ａは、錠止突起４ｄの頭部４ｆより大径に形成され、前記保持部材６の錠止孔６ａと同心上に形成されている。
【００３４】
前記一対の係止部材７，７は、前記保持部材６とスペーサ９との対向面間より重ね合わせた肉厚が薄くなるように形成され、該対向面間に対し前記差込み片４ａの差込み方向と直交する方向に摺動自在に保持されている。
【００３５】
前記保持部材６の壁部６ｂ，６ｂ間より外側に突出される係止部材７の外端には、前記差込み片４ａの差込み方向と直交する方向に該保持部材６を押し込み操作するための操作部７ａが形成されている。また、係止部材７の操作部７ａは、バックルカバー３の開口部３ａより内側に保持されている。
【００３６】
バックルカバー３と保持部材６との対向面間に挿入される係止部材７の内端には、前記差込み片４ａの錠止突起４ｄに係止されるＬ字状の係止部７ｂが形成されている。また、係止部７ｂの内側中央縁部には、前記錠止突起４ｄの軸部４ｅに係合される窪み部７ｃが形成されている。また、窪み部７ｃは、錠止突起４ｄの頭部４ｆより小径に形成されている。
【００３７】
係止部材７の一側に形成され、前記操作部７ａに寄った位置に形成された段部７ｄには、一方のコイルスプリング８の一端が係止される突起７ｅが形成されている。また、係止部材７の他側に形成され、前記係止部７ｂに寄った位置に形成された角隅部７ｆには、他方のコイルスプリング８の他側が係止される突起７ｇが形成されている。
【００３８】
つまり、差込み部材４の差込み片４ａをバックルカバー３の差込み部３ｂに左側開口部から挿入した際、差込み部材４の右側端部をバックル本体２の左側端部に当接して、差込み片４ａの錠止突起４ｄと保持部材６の錠止孔６ａとが対向する同心位置に規制する。
【００３９】
この後、差込み部材４を、差込み片４ａの錠止突起４ｄが保持部材６の錠止孔６ａに挿入される厚み方向へ移動させると、錠止突起４ｄの頭部４ｆが、係止部材７，７の係止部７ｂ，７ｂに形成された窪み部７ｃの周縁部に当接される。その頭部４ｆの滑らかな面によって、係止部材７，７が、コイルスプリング８，８の復元力に抗して互いに離間される外側方向へ移動される。
【００４０】
係止部材７，７の係止部７ｂ，７ｂ間が、錠止突起４ｄの頭部４ｆによって挿入が許容される間隔に押し広げられ、錠止突起４ｄの頭部４ｆが、錠止孔６ａより内側に突出され係止部７ｂ，７ｂ間を通過した際に、係止部材７，７が、コイルスプリング８，８の復元力によって互いに近接される内側方向へ移動される。
【００４１】
錠止孔６ａより内側に突出された錠止突起４ｄの軸部４ｅ周面に、係止部７ｂ，７ｂの窪み部７ｃ，７ｃが押し付けられ、窪み部７ｃ，７ｃの周縁部が錠止突起４ｄの頭部４ｆに係止される。これにより、バックル本体２と差込み部材４とが一体的に連結固定される。
【００４２】
図示実施例は前記の如く構成するものにして、以下、本発明のバックル１によってベルトＡの両端を連結する方法を説明する。
【００４３】
先ず、図４に示すように、差込み部材４の差込み片４ａを、バックルカバー３の差込み部３ｂに左側開口部から挿入し、差込み片４ａの錠止突起４ｄを保持部材６の錠止孔６ａと対向する位置まで挿入する。この後、差込み部材４を、差込み片４ａの差込み方向と直交する厚み方向へ移動させて、差込み片４ａの錠止突起４ｄを保持部材６の錠止孔６ａに挿入する。
【００４４】
保持部材６の錠止孔６ａに挿入される錠止突起４ｄの頭部４ｆを、係止部材７，７の係止部７ｂ，７ｂに形成された窪み部７ｃ，７ｃの周縁部に対し強く押し付けた際、その押し付け部分に生じる反力によって、係止部材７，７が、コイルスプリング８，８の復元力に抗して互いに離間される外側方向へ相対移動される（図７参照）。
【００４５】
係止部材７，７の係止部７ｂ，７ｂ間が、錠止突起４ｄの頭部４ｆによって挿入が許容される間隔に押し広げられ、錠止突起４ｄの頭部４ｆが、係止部材７，７の係止部７ｂ，７ｂ間を通過した際に、図６に示すように、係止部材７，７が、コイルスプリング８，８の復元力によって互いに近接される内側方向へ移動される。
【００４６】
係止部材７，７の係止部７ｂ，７ｂが錠止突起４ｄの軸部４ｅ周面に押し付けられ、係止部７ｂ，７ｂの窪み部７ｃ，７ｃの周縁部が錠止突起４ｄの頭部４ｆに係止されるので、錠止突起４ｄが錠止孔６ａから抜き取られるのを阻止することができる。これにより、バックル本体２と差込み部材４とが一体的に連結固定され、ベルトＡの両端を強固に連結することができる。
【００４７】
次に、ベルトＡの両端を分離する際には、図７に示すように、バックルカバー３の開口部３ａ，３ａに露出された一対の係止部材７，７を同時に押圧操作し、コイルスプリング８，８の復元力に抗して内側へ押し込む。
【００４８】
係止部材７，７を、コイルスプリング８，８の復元力に抗して互いに近接される内側方向へ相対移動させ、係止部材７，７の係止部７ｂ，７ｂ間を、差込み片４ａの錠止突起４ｄの抜き取りが許容される間隔に離間するので、係止部材７，７による錠止突起４ｄの抜止めが解除される。これにより、差込み部材４の錠止突起４ｄを、保持部材６の錠止孔６ａから引き抜くことができる。
【００４９】
次に、差込み部材４を、差込み片４ａの錠止突起４ｄが保持部材６の錠止孔６ａから抜き取られる厚み方向へ移動させて、差込み片４ａの錠止突起４ｄを保持部材６の錠止孔６ａから抜き取る。この後、差込み部材４を、差込み片４ａの差込み方向と平行する方向へ移動させ、該差込み部材４の差込み片４ａをバックルカバー３の差込み部３ｂから抜き取る。これにより、バックル本体２とバックルカバー３とが分離され、ベルトＡの両端の固定を解除することができる。
【００５０】
以上のように、一対の係止部材７，７を同時に押し込み操作しない限り、係止部材７，７の係止部７ｂ，７ｂ間から差込み片４ａの錠止突起４ｄが抜き取られることはない。これにより、バックル本体２と差込み部材４との固定及びベルトＡの連結状態が不用意に解除されることがなく、バックル１として高い信頼性が得られる。また、差込み片４ａの錠止突起４ｄを係止部材７，７の係止部７ｂ，７ｂ間に挿入して抜止め固定し、一対の係止部材７，７を同時に押し込み操作して抜止め解除するので、ベルトＡの両端を留める操作及び解除する操作が簡単且つ容易に行える。
【００５１】
また、ベルトＡの長手方向に引張り力が付与された際に、差込み部材４の差込み片４ａに突設された錠止突起４ｄが、バックル本体２に取り付けられた保持部材６の錠止孔６ａに係止されるとともに、錠止孔６ａに係止された錠止突起４ｄが錠止装置５の係止部材７，７によって抜止めされる。これにより、バックル１の長手方向に付与される引張り強度に優れ、大きな引張り力が付与される被連結体を連結するのに最適である。また、衣服、ランドセル、リュック、鞄などを装着する際に用いられるバンドやベルト等を留めるのに適している。
【００５２】
また、係止部材７，７による抜止めが低下するか、不用意に解除されても、差込み部材４を、差込み片４ａの錠止突起４ｄが保持部材６の錠止孔６ａから抜き取られる方向へ移動しない限り、錠止突起４ｄと錠止孔６ａとの係止が解かれることがなく、バックル本体２と差込み部材４との連結状態を維持することができる。
【００５３】
図８は、差込み部材４の差込み片４ａに突設された錠止突起４ｄを、保持部材６の錠止孔６ａに対し挿入される方向にガイドするためのガイド部３ｃを備えた第２例の錠止装置５を示す部分拡大断面図である。
【００５４】
ガイド部３ｃは、バックルカバー３の差込み部３ｂに差込まれる差込み片４ａの差込み側端部と対向して、該差込み部３ｂの前記差込み片４ａの差込み側端部と対向する閉塞側内壁部に形成されている。また、差込み片４ａの差込み側端部が当接されるガイド部３ｃのガイド面は、差込み片４ａの錠止突起４ｄが保持部材６の錠止孔６ａに対し挿入される方向にガイドされる角度に傾斜されている。
【００５５】
つまり、差込み部材４の差込み片４ａを、バックルカバー３の差込み部３ｂに対し左側開口部から挿入した際に、差込み片４ａの差込み側端部がガイド部３ｃのガイド面に当接される。そのガイド部３ｃのガイド面に沿って、差込み部材４の差込み片４ａが、保持部材６の錠止孔６ａに対し挿入される方向へ移動される。
【００５６】
また、保持部材６の錠止孔６ａに挿入された差込み片４ａの錠止突起４ｄに、一対の係止部材７，７の係止部７ｂ，７ｂが係合されるので、差込み部材４を、差込み片４ａの錠止突起４ｄが保持部材６の錠止孔６ａに対し挿入される方向へ移動させる操作が省ける。これにより、バックル本体２と差込み部材４とを一体的に連結固定する操作が簡単且つ容易に行えるとともに、前記実施例と略同等の作用及び効果を奏することができる。
【００５７】
また、差込み片４ａの錠止突起４ｄを保持部材６の錠止孔６ａから抜き取る際には、差込み片４ａの差込み側端部がガイド部３ｃのガイド面に当接される。そのガイド部３ｃのガイド面に沿って、差込み部材４の差込み片４ａが、バックルカバー３の差込み部３ｂから抜き取られる方向へ移動される。これにより、バックル本体２と差込み部材４とを分離する操作が簡単且つ容易に行える。
【００５８】
図９は、保持部材６の錠止孔６ａに挿入された差込み片４ａの錠止突起４ｄを、該錠止孔６ａから抜き取られる方向に押し戻すための押し戻しバネ１０を備えた第３例の錠止装置５を示す部分拡大断面図である。
【００５９】
押し戻しバネ１０は、板バネで構成され、バックル本体２の前面側中央部に形成されたバネ保持溝２ｈに保持部材６の錠止孔６ａと対向して保持されている。また、錠止突起４ｄが押し当てられる押し戻しバネ１０の中央部には、滑らかな曲面形状を有する凸状の弾性部１０ａが形成されている。この弾性部１０ａは、スペーサ９の受け孔９ａと対向して形成され、該受け孔９ａに挿入された錠止突起４ｄの頭部４ｆに当接される高さに形成されている。
【００６０】
つまり、差込み片４ａの錠止突起４ｄを、保持部材６の錠止孔６ａに挿入する際に、スペーサ９の受け孔９ａに突出された押し戻しバネ１０の弾性部１０ａに押し当てるとともに、その押し当てた際に蓄積される押し戻しバネ１０の復元力に抗して、差込み片４ａの錠止突起４ｄを保持部材６の錠止孔６ａに対し強制的に挿入する。
【００６１】
また、保持部材６の錠止孔６ａに挿入された差込み片４ａの錠止突起４ｄに、一対の係止部材７，７の係止部７ｂ，７ｂが係合されるので、バックル本体２と差込み部材４とを一体的に連結固定することができ、前記実施例と略同等の作用及び効果を奏することができる。
【００６２】
また、押し戻しバネ１０に蓄積された復元力によって、錠止突起４ｄの頭部４ｆが係止部材７，７の係止部７ｂ，７ｂの周縁部に対し強く押し付けられるので、係止部材７，７が勝手に錠止解除方向へ移動することがなく、バックル本体２と差込み部材４との連結状態を維持することができる。
【００６３】
また、一対の係止部材７，７を同時に押し込み操作して、係止部材７の係止部７ｂ，７ｂを差込み片４ａの錠止突起４ｄに対する係合が解除される間隔に離間させた際に、押し戻しバネ１０に蓄積された復元力でもって、差込み片４ａの錠止突起４ｄが押し戻され、保持部材６の錠止孔６ａから抜き取られる。
【００６４】
これにより、差込み部材４を、差込み片４ａの錠止突起４ｄが保持部材６の錠止孔６ａから抜き取られる方向へ移動する操作が省け、バックル本体２と差込み部材４とを簡単且つ容易に分離することができる。なお、第３例の構成に、第２例の構成を組み合わせることにより、差込み部材４の差込み片４ａに突設された錠止突起４ｄを、保持部材６の錠止孔６ａに挿入したり、抜き取ったりする操作が容易に行える。
【００６５】
図１０は、差込み部材４の差込み片４ａに突設された錠止突起４ｄを、保持部材６の錠止孔６ａに挿入するための押し込みボタン１１を備えた第４例の錠止装置５を示す部分拡大断面図である。
【００６６】
押し込みボタン１１は、軸部１１ａと、操作部１１ｂと、当接部１１ｃと、コイルスプリング１２とで構成され、バックルカバー３の前面側中央部に前記保持部材６の錠止孔６ａと対向して取り付けられている。また、押し込みボタン１１の軸部１１ａは、バックルカバー３の前面側中央部に形成された前記保持部材６の錠止孔６ａと同心の軸受孔３ｈに対し摺動自在に軸受されている。
【００６７】
また、操作部１１ｂは、バックルカバー３の軸受孔３ｈより外側に突出された軸部１１ａの外端に形成されている。また、当接部１１ｃは、バックルカバー３の軸受孔３ｈより内側に突出された軸部１１ａの内端に形成されている。
【００６８】
また、軸受孔３ｈと操作部１１ｂとの間の軸部１１ａ周面に装着されたコイルスプリング１２は、当接部１１ｃを、差込み片４ａの差込み側端部から離間される方向に付勢するとともに、差込み部３ｂに差込まれる差込み片４ａに対し当接が回避される位置に復帰する。
【００６９】
つまり、差込み部材４の差込み片４ａを、バックルカバー３の差込み部３ｂに左側開口部から挿入し、差込み片４ａの錠止突起４ｄを保持部材６の錠止孔６ａと対向する位置まで挿入した際に、押し込みボタン１１の操作部１１ｂをコイルスプリング１２の復元力に抗して押し込み操作する。  
押し込みボタン１１の当接部１１ｃを差込み片４ａの差込み側端部に対し該差込み片４ａの差込み方向と直交して当接し、差込み片４ａの錠止突起４ｄを保持部材６の錠止孔６ａに対し挿入される方向に移動する。
【００７０】
これにより、保持部材６の錠止孔６ａに挿入された差込み片４ａの錠止突起４ｄに、一対の係止部材７，７の係止部７ｂ，７ｂが係合されるので、バックル本体２と差込み部材４とを一体的に連結固定することができ、前記実施例と略同等の作用及び効果を奏することができる。なお、押し込みボタン１１は、押し込み操作が終了すると操作前の状態に復帰する。
【００７１】
また、押し込みボタン１１を、図１０中に示す仮想線位置にロックすれば、差込み片４ａの錠止突起４ｄを保持部材６の錠止孔６ａに挿入された状態にホールドすることができる。
【００７２】
この発明の構成と、前記実施例との対応において、  
この発明の被連結体は、実施例のベルトＡに対応し、  
以下同様に、  
付勢手段は、押し戻しバネ１０に対応し、  
押し込み部材は、押し込みボタン１１に対応するも、  
この発明は、前記実施例の構成のみに限定されるものではなく、請求項に示される技術思想に基づいて応用することができ、多くの実施の形態を得ることができる。
【００７３】
実施例において、保持部材６の錠止孔６ａに挿入された差込み片４ａの錠止突起４ｄを抜止めする手段は、実施例の係止部材７，７のみに限定されるものではない、例えば一方の係止部材７を錠止突起４ｄに係合するだけでも抜止めすることができるが、錠止孔６ａより内側に突出された錠止突起４ｄに、該錠止突起４ｄより小径の抜止めピンを係合しても抜止めすることもできる。  
また、バックル本体２とバックルカバー３とを、例えばネジで固定するか、接着、溶着する等して固定してもよい。
【００７４】
また、例えば実公昭３５−３３４３３号公報、実開平６−６６３１７号公報等に開示される公知のベルト取付け構造によって、ベルトＡの一端をバックル本体２の右側端部に取り付け、ベルトＡの他端を差込み部材４の左側端部に取り付けてもよい。つまり、バックル本体２及び差込み部材４の端部に取り付けられた押え板の歯又は爪をベルトＡに食い込ませて固定する。また、前記押え板の代わりに、ローレット加工された押えローラをベルトＡに押し付けて固定してもよく、実施例の取付け構造のみに限定されるものではない。
【図面の簡単な説明】
【００７５】
【図１】本発明の一実施形態であるバックルの組付け状態を示す斜視図。
【図２】バックルに内蔵された第１例の錠止装置の透視状態を示す正面図。
【図３】図２のバックルを左側から見た状態を示す左側面図。
【図４】図２のバックルを長手方向に切断した構造を示す横断平面図。
【図５】錠止装置の分離状態を示す展開斜視図。
【図６】錠止装置による錠止状態を示す錠止部正面図。
【図７】錠止装置による錠止解除状態を示す錠止部正面図。
【図８】錠止装置の第２例を示す部分拡大断面図。
【図９】錠止装置の第３例を示す部分拡大断面図。
【図１０】錠止装置の第４例を示す部分拡大断面図。
【符号の説明】
【００７６】
Ａ…ベルト
１…バックル
２…バックル本体
３…バックルカバー
３ａ…開口部
３ｂ…差込み部
３ｃ…ガイド部
４…差込み部材
４ａ…差込み片
４ｄ…錠止突起
５…錠止装置
６…保持部材
６ａ…錠止孔
７…係止部材
７ａ…操作部
７ｂ…係止部
７ｃ…窪み部
８…コイルスプリング
９…スペーサ
９ａ…受け孔
１０…押し戻しバネ
１１…押し込みボタン
【図１】
2010136964.tif 000003
【図２】
2010136964.tif 000004
【図３】
2010136964.tif 000005
【図４】
2010136964.tif 000006
【図５】
2010136964.tif 000007
【図６】
2010136964.tif 000008
【図７】
2010136964.tif 000009
【図８】
2010136964.tif 000010
【図９】
2010136964.tif 000011
【図１０】
2010136964.tif 000012